(57)【要約】      （修正有）【課題】植物の収穫・植栽の作業効率を高めることができる収穫植栽作業台を提供する。【解決手段】植物栽培用の栽培部を複数有する縦型枠材３０に設けられた被保持部材４８を縦型枠材の起立状態で保持可能な保持部材６４と、支柱５２が立設された受け台５０と、支柱に設けられ、保持部材が被保持部材を保持した状態で保持部材を上下方向へ回転可能とする回転手段６８と、を有する収穫植栽作業台１２。【選択図】図３
2017099329.tif 000002
【特許請求の範囲】
【請求項１】
植物栽培用の栽培部を有する縦型枠材を上下方向へ回転可能とする機構を有する収穫植栽作業台。
【請求項２】
移動用のキャスターと、前記縦型枠材の回動を補助する油圧ダンパーとを有する請求項１に記載の収穫植栽作業台。
【請求項３】
植物栽培装置から引き出した前記縦型枠材をスライドして移動するスライド機構を備えた請求項１又は２に記載の収穫植栽作業台。
【請求項４】
植物栽培用の栽培部を有する縦型枠材を起立状態で保持可能な保持部材と、
支柱が立設された受け台と、
前記支柱に設けられ、前記保持部材が前記縦型枠材を保持した状態で前記保持部材を上下方向へ回転可能とする回転手段と、
を有する収穫植栽作業台。
【請求項５】
前記縦型枠材の起立状態と傾倒状態で前記回転手段をロックするロック手段を有する請求項４に記載の収穫植栽作業台。
【請求項６】
前記受け台に設けられ、該受け台を移動可能とする走行輪と、
前記受け台に設けられ、前記縦型枠材をスライド可能に支持して該縦型枠材を前記保持部材の位置に合わせて案内するスライド機構と、
を有する請求項４又は５に記載の収穫植栽作業台。
【発明の詳細な説明】
【技術分野】
【０００１】
本発明は、収穫や植栽時に利用される収穫植栽作業台に関する。
【背景技術】
【０００２】
近年、植物栽培装置を用いた水耕栽培が行われており、天候などの影響を受けることなく、また農薬を使用せずに植物の栽培を可能とする室内水耕栽培技術が普及している。
【０００３】
このような植物栽培装置では、複数の栽培ユニットが多段栽培部で構成されている。
【０００４】
このような栽培ユニットを起立して植物栽培装置に複数セットすることで、占有スペースを抑えることができる。
【発明の概要】
【発明が解決しようとする課題】
【０００５】
しかしながら、縦型枠材は起立しているため、下方の栽培部から植物を収穫するときには腰を屈め、上方の栽培部からは植物を収穫するときには、つま先立ちになったり、踏み台に上る必要があり、作業効率が良くなかった。
【０００６】
本発明は、植物の収穫・植栽の作業効率を高めることができる収穫植栽作業台を提供することを目的とする。
【課題を解決するための手段】
【０００７】
本発明は、植物栽培用の栽培部が移動可能な縦型枠材の中に設けられ、植物の収穫時にこの縦型枠材を移動し、そして回転させ、人が作業しやすい高さで安定させる作業台である。
【０００８】
本発明の第一の態様は、植物栽培用の栽培部を有する縦型枠材を上下方向へ回転可能とする機構を有する。
【０００９】
すなわち、縦型枠材を起立状態から傾倒状態まで回転させ、起立状態では上下に配置された栽培部を傾倒状態で同じ高さにすることができる。これにより、収穫作業効率が向上する。
【００１０】
本発明の第二の態様は、移動用のキャスターと、前記縦型枠材の回動を補助する油圧ダンパーとを有する。
【００１１】
これにより、収穫植栽作業台をキャスターで移動できる。また、縦型枠材の回動を油圧ダンパーで補助できるので、回転作業が容易となる。
【００１２】
本発明の第三の態様は、植物栽培装置から引き出した前記縦型枠材をスライドして移動するスライド機構を備えている。
【００１３】
これにより、植物栽培装置から引き出した縦型枠材をスライド機構によってスライドして移動でき、移動作業が容易となる。
【００１４】
本発明の第四の態様は、植物栽培用の栽培部を有する縦型枠材を起立状態で保持可能な保持部材と、支柱が立設された受け台と、前記支柱に設けられ、前記保持部材が前記縦型枠材を保持した状態で前記保持部材を上下方向へ回転可能とする回転手段と、を有する。
【００１５】
すなわち、植物栽培装置に起立状態で収容された縦型枠材から植物を収穫する際には、縦型枠材を引き出すととともに、縦型枠材を保持部材によって起立状態で保持して回転手段により保持部材を上下方向へ回転させる。ここで、保持部材を上下方向へ回転させるとは、保持部材が略水平軸回りに回転することを意味する。
【００１６】
これにより、縦型枠材を起立状態から傾倒状態まで回転させ、起立状態では上下に配置された栽培部を傾倒状態で同じ高さにすることができる。このように、栽培部が同じ高さにあれば、縦型枠材の廻りを移動するだけで各栽培部から同じ姿勢で植物を収穫できる。このため、収穫作業効率が向上する。
【００１７】
このとき、新たに苗を植栽するときにも、栽培部が同じ高さにあれば、植栽作業を効率よく行える。
【００１８】
そして、植栽作業が完了した後、縦型枠材を傾倒状態から起立状態へ戻し、保持部材から被保持部材を外して、起立状態の縦型枠材を植物栽培装置に収容することができる。
【００１９】
本発明の第五の態様は、前記縦型枠材の起立状態と傾倒状態で前記回転手段をロックするロック手段を有する。
【００２０】
ロック手段で回転手段をロックすることで、縦型枠材が起立状態と傾倒状態とで固定され、収穫・植栽作業が容易となる。また、縦型枠材を植物栽培装置から引き出し、被保持部材を保持部材に保持させやすくなる。
【００２１】
本発明の第六の態様は、前記受け台に設けられ、該受け台を移動可能とする走行輪と、前記受け台に設けられ、前記縦型枠材をスライド可能に支持して該縦型枠材を前記保持部材の位置に合わせて案内するスライド機構と、を有する。
【００２２】
すなわち、受け台には、走行輪が設けられているため、植物の収穫・植栽の作業場から植物栽培装置まで、縦型枠材を載せたまま、移動させることができる。
【００２３】
また、植物栽培装置から縦型枠材を引き出す際には、スライド機構に縦型枠材を支持させスライドさせることで、縦型枠材を保持部材に保持させることができる。このため、重量作業が削減できる。
【発明の効果】
【００２４】
本発明は上記の構成とした為、高い部分にある収穫物を台等使用する事なく安全に収穫でき、さらに植栽も可能とし作業効率を高める事ができる。
【図面の簡単な説明】
【００２５】
【図１】本実施形態で用いる植物栽培装置を示した正面図である。
【図２】本実施形態の植物栽培装置から栽培ユニットが収穫植栽作業台の上へ引き出された状態を示す側面図である。
【図３】本実施形態の植物栽培装置に収納された栽培ユニットと収穫植栽作業台との位置関係を示す斜視図である。
【図４】本実施形態の栽培ユニットが収穫植栽作業台に起立状態で保持された状態を示す側面図である。
【図５】本実施形態の栽培ユニットを収穫植栽作業台の上で傾倒させた状態を示す側面図である。
【図６】本実施形態の保持部材のロック機構を示す要部拡大図である。
【発明を実施するための形態】
【００２６】
以下、本発明の一実施形態を図面に従って説明する。
【００２７】
栽培システム１０を構成する植物栽培装置１４は、図１及び図２に示すように、装置本体１６と、装置本体１６に引き出し可能に収容された栽培ユニット１８とを備えている。装置本体１６は、矩形ケース状の底部２０を備えており、この底部２０の角部には、柱２２が立設されている。各柱２２の上端部は、連結されており、天部２４が形成されている。
【００２８】
図３に示すように、天部２４の前辺２４Ａと後辺２４Ｂとの間には、下方へ向けて開口した断面コ字状の吊下げレール２６が架設されている。吊下げレール２６の下縁には、内側へ向けて屈曲した屈曲部２６Ａが形成されている。この吊下げレール２６は、図１に示したように、装置本体１６の左側領域１６Ａと右側領域１６Ｂのそれぞれに一本設けられており、装置本体１６の中央領域１６Ｃには、二本設けられている。
【００２９】
装置本体１６には、左側領域１６Ａと中央領域１６Ｃとの間に、人工光源で構成された光源２８が設けられており、光源２８からの光を左側領域１６Ａと中央領域１６Ｃへ向けて照射できるように構成されている。また、装置本体１６には、中央領域１６Ｃと右側領域１６Ｂとの間にも光源２８が設けられており、光源２８からの光を中央領域１６Ｃと右側領域１６Ｂへ向けて照射できるように構成されている。
【００３０】
栽培ユニット１８は、図２及び図３に示したように、縦型枠材３０を備えており、縦型枠材３０は、例えば角パイプ（他の部材で構成しても良い）が矩形状に接合されて形成されている。縦型枠材３０の左辺３０Ａ及び右辺３０Ｂを構成する角パイプは、上辺３０Ｃ及び下辺３０Ｄを構成する角パイプより長く設定されており、縦型枠材３０は、縦長の矩形状に形成されている。左辺３０Ａ及び右辺３０Ｂには、下横桟３２と中横桟３４と上横桟３６とが架設されており、縦型枠材３０が補強されている。
【００３１】
縦型枠材３０の上辺３０Ｃを構成する角パイプには、軸部３８を介して支持ローラ４０が設けられており、支持ローラ４０は、図４及び図５に示すように、吊下げレール２６の端部開口部から吊下げレール２６内へ挿入できるように構成されている。支持ローラ４０は、吊下げレール２６の屈曲部２６Ａに支持されるとともに、屈曲部２６Ａに沿って転動できるように構成されており、縦型枠材３０は、吊下げレール２６に吊り下げられた状態で装置本体１６に収容できるように構成されている。
【００３２】
この縦型枠材３０の内側には、図２に示したように、植物が栽培される栽培部４２が複数段設けられている。この栽培部４２は、横方向に延設された塩化ビニル製のパイプ４２Ａによって形成されており、このパイプ４２Ａの中途部には、複数のＴ字ジョイント４２Ｂが設けられている。このＴ字ジョイント４２Ｂは、その開口部が光源２８側を向くように斜めに取り付けられており（図１参照）、この開口部によって栽培する植物を収容するための収容部４４が形成されている。
【００３３】
各栽培部４２を構成するパイプ４２Ａは、図２に示したように、縦型枠材３０の側部に設けられた竪管４６に接続されており、この竪管４６は、ホースを介して装置本体１６に設けられた養液供給部に接続され（図示省略）、養液が供給されるように構成されている。これにより、養液を収容部４４に収容された植物に供給できるように構成されている。そして、最下段の栽培部４２を構成するパイプ４２Ａを通過した養液は、底部２０に設けられたタンクに回収された後、ポンプで養液供給部へ戻され循環するように構成されている（図示省略）。
【００３４】
なお、本実施形態では、栽培部４２をパイプ４２Ａで構成した場合を例に挙げたが、これに限定されるものではない。例えば、上方開口部で植物を栽培できる樋状の部材で栽培部４２を構成してもよい。
【００３５】
この縦型枠材３０には、図３に示したように、左辺３０Ａから右辺３０Ｂに渡って延在する被保持部材４８が中横桟３３（図２参照）に沿って設けられている。この被保持部材４８は、図４及び図５にも示すように、金属板が屈曲されて形成されている。被保持部材４８には、縦型枠材３０に固定された基部４８Ａと、基部４８Ａの上辺より側方へ延出した上部延出片４８Ｂと、基部４８Ａの下辺より側方へ延出した下部延出片４８Ｃとが形成され、側方へ向けて開口した断面コ字状に形成されている。上部延出片４８Ｂの先端からは下部延出片４８Ｃ側へ向けて上爪４８Ｄが斜め方向に延出しており、下部延出片４８Ｃの先端からは上部延出片４８Ｂ側へ向けて下爪４８Ｅが延出している。
【００３６】
本実施形態に係る収穫植栽作業台１２は、図３及び図４に示すように、受け台５０と、受け台５０に立設された支柱５２とを備えている。受け台５０は、床面５４に沿って配置された一対の角パイプからなる脚部５６と、一対の脚部５６を中央部で連結する連結部５８とを備えており、連結部５８の両端部から角パイプで構成された支柱５２が立設されている。各脚部５６の両端部には、図４及び図５に示したように、回転軸６０を介して走行輪６２が設けられており、回転軸６０及び走行輪６２からなるキャスターで受け台５０が移動可能とされている。
【００３７】
支柱５２の上端部には、図３及び図４に示したように、縦型枠材３０を縦置きに配置した起立状態において、縦型枠材３０の被保持部材４８を保持可能な保持部材６４が設けられている。保持部材６４は、図４及び図５に示したように、保持部本体６６と保持板７２とからなり、保持部本体６６は、対向して配置された一対の三角板６６Ａと、三角板６６Ａの底辺を連結する連結板６６Ｃとによって断面コ字状に形成されている。三角板６６Ａは、支柱５２の側面に対向配置され、三角板６６Ａの頂部が、回転手段を構成する回転軸６８によって支柱５２に回転自在に支持されている。これにより、保持部材６４が回転軸６８を中心に被保持部材４８を保持した状態で上下方向へ回転可能となる。
【００３８】
連結板６６Ｃには、図４及び図５に示したように、矩形状の保持板７２が面接触した状態で固定されており、保持板７２の一側部は、連結板から突出するように構成されている。この保持板７２は、縦型枠材３０に設けられた被保持部材４８の上部延出片４８Ｂと下部延出片４８Ｃ間に挿入できる大きさに形成されており、挿入された保持板７２を上爪４８Ｄ及び下爪４８Ｅで抜け止めできるように構成されている。これにより、図４から図５に示すように、保持部材６４が被保持部材４８を保持した状態で縦型枠材３０と共に回転し、縦型枠材３０の上辺３０Ｃ及び下辺３０Ｄが同じ高さとなる。
【００３９】
なお、本実施形態では、断面コ字状の被保持部材４８に保持部材６４の保持板７２を保持する保持形態を例に挙げて説明したが、このような保持形態に限定されるものではない。例えば、縦型枠材３０及び収穫植栽作業台１２の一方に磁石を設け他方に金属板を設けて吸着力で保持する構造であってもよい。また、縦型枠材３０及び収穫植栽作業台１２の一方に係合部を設け他方に被係合部を設けて互いに係合する係合力で保持する構造であってもよい。
【００４０】
また、縦型枠材３０そのものを保持する保持形態であってもよい。具体的には、縦型枠材３０を収納して保持する保持枠を支柱５２に回転可能に支持する。この場合、縦型枠材３０を保持枠と共に回転させ、人が作業しやすい高さで安定させることができる。
【００４１】
この収穫植栽作業台１２の受け台５０には、支柱５２を境とした一方側にスライド機構７４が設けられている。スライド機構７４は、脚部５６に架設された断面コ字状の支持レール７６を備えており、支持レール７６の側壁７６Ａ間には、円柱状のローラ７８が複数回転自在に支持されている。ローラ７８は、図２に示したように、収穫植栽作業台１２を植物栽培装置１４の正面に配置した状態で、吊下げられた縦型枠材３０下面の高さと転動面とがほぼ一致するように配置されている。これにより、引き出した縦型枠材３０を各ローラ７８上に移動できるように構成されている。
【００４２】
また、このローラ７８に沿って縦型枠材３０を移動すると、縦型枠材３０に設けられた被保持部材４８が保持部材６４の位置に案内される。これにより、縦型枠材３０に設けられた被保持部材４８の上部延出片４８Ｂと下部延出片４８Ｃ間に保持部材６４の保持板７２を容易に挿入することができる。
【００４３】
支柱５２には、図６に示すように、保持部材６４を回転して保持板７２を上方に配置した状態で、保持部材６４の回転を阻止する第１ロック機構８０が両側面に設けられている。この第１ロック機構８０は、支柱５２の側面に設けられたハット型断面形状の保持部８２と、該保持部８２と支柱５２との間にスライド自在に設けられたロック板８４とによって構成されており、ロック板８４の端部は折曲され操作部８４Ａが形成されている。
【００４４】
この操作部８４Ａを操作してロック板８４の先端部を支柱５２より突出させると、ロック板８４が保持部本体６６の三角板６６Ａの両側の斜面６６Ｂにそれぞれ当接し、保持部材６４の回転をロックする。これにより、図５に示したように、傾倒され略水平にされた縦型枠材３０は、略水平状態に維持できる。この状態で、ロック板８４を後退させると、保持部材６４の回転を許容したアンロック状態となる。
【００４５】
また、支柱５２には、図６に示したように、保持部材６４の保持板７２を側方に配置した状態で、保持部材６４の回転を阻止する第２ロック機構９０が設けられている（ロック状態示す図４参照）。この第２ロック機構９０は、保持部材６４の三角板６６Ａに設けられた貫通穴９２と、支柱５２に設けられた挿通穴９４と、保持部材６４の貫通穴９２を支柱５２の挿通穴９４に合致させた状態で、貫通穴９２を貫通して挿通穴９４に挿入される挿入ピン９６とで構成されている（ロック状態示す図４参照）。
【００４６】
ここで、保持部材６４と受け台５０との間に油圧ダンパー１００を設ければ、保持部材６４で支持された縦型枠材３０の回転操作が容易となる。すなわち、図６に示したように、保持部材６４の裏面にブラケット１０２を設け、ブラケット１０２に油圧ダンパー１００の先端部を支持するとともに、油圧ダンパー１００の基端部を受け台５０に支持する（図示省略）。なお、支柱５２には、ブラケット１０２や油圧ダンパー１００との干渉を回避するための凹部が設けられている。
【００４７】
これにより、油圧ダンパー１００が伸縮する力を利用することで、植物の荷重が加わった縦型枠材３０であっても、容易に回動することができ、植物の収穫を容易とすることができる。
【００４８】
以上の構成にかかる本実施形態の作用を説明する。すなわち、植物栽培装置１４には、植物が栽培される栽培部４２を複数有する縦型枠材３０が起立した状態で吊下げられている。この栽培部４２には、植物栽培装置１４から養液が供給され、植物が栽培されている。
【００４９】
植物の収穫時期になると、植物栽培装置１４から縦型枠材３０を引き出して、栽培部４２から植物を収穫する。このとき、縦型枠材３０は起立しているので、下方の栽培部４２から植物を収穫するときには腰を屈め、上方の栽培部４２から植物を収穫するときには、つま先立ちになったり、踏み台に上る必要があり、収穫作業効率が良くない。
【００５０】
そこで、本収穫植栽作業台１２では、植物栽培装置１４から引き出された起立状態の縦型枠材３０の被保持部材４８を支柱５２に設けられた保持部材６４で保持することができる。この保持部材６４は、支柱５２に支持されており、保持部材６４が被保持部材４８を保持した状態で上下方向へ回転し、縦型枠材３０を起立状態から傾倒状態まで、好ましくは図５に示したように、縦型枠材３０が略水平となる状態まで回転させる。起立状態で上下に配置された栽培部４２を、傾倒状態では同じ高さにすることができる。このように、栽培部４２が同じ高さにあれば、縦型枠材３０の廻りを移動するだけで各栽培部４２から同じ姿勢で植物を収穫できる。このため、収穫作業効率が向上する。
【００５１】
また、新たに苗を植栽するときにも、栽培部４２が同じ高さにあれば、植栽作業を効率よく行える。
【００５２】
このとき、この収穫植栽作業台１２の支柱５２には、保持部材６４を回転して保持板７２を上方に配置した状態で、保持部材６４の回転を阻止する第１ロック機構８０が設けられている。このため、保持部材６４を回転して縦型枠材３０を傾倒した状態において、第１ロック機構８０のロック板８４をスライドすれば、縦型枠材３０を傾倒状態に維持することができる。これにより、収穫・植栽作業が容易となる。
【００５３】
植栽作業が完了した際には、縦型枠材３０を傾倒状態から起立状態へ戻し、保持部材６４から被保持部材４８を外すことで、起立した状態の縦型枠材３０を植物栽培装置１４に収容することができる。
【００５４】
この収穫植栽作業台１２の受け台５０には走行輪６２が設けられている。このため、植物の収穫・植栽の作業場から植物栽培装置１４まで、縦型枠材３０を載せたまま、移動させることができる。
【００５５】
また、受け台５０には、縦型枠材３０をスライド可能に支持するスライド機構７４が設けられている。このため、縦型枠材３０を植物栽培装置１４から引き出した際には、このスライド機構７４で縦型枠材３０をスライドすることで、縦型枠材３０の被保持部材４８を支柱５２の保持部材６４に案内することができる。
【００５６】
このとき、第２ロック機構９０を構成する挿入ピン９６を、保持部材６４に設けられた貫通穴９２を貫通して支柱５２に設けられた挿通穴９４に挿入したロック状態を形成しておく。これにより、保持部材６４の不用意な回転を防止できる。
【００５７】
このため、植物栽培装置１４から縦型枠材３０を引き出した後、縦型枠材３０を持たなくても、スライド機構７４にて縦型枠材３０を支持してスライドさせることで、被保持部材４８を保持部材６４に保持させることができる。このため、重量作業が削減できる。
【符号の説明】
【００５８】
１０   栽培システム
１２   収穫植栽作業台
１４   植物栽培装置
３０   縦型枠材
４２   栽培部
４８   被保持部材
５０   受け台
５２   支柱
６２   走行輪
６４   保持部材
６８   回転軸（回転手段）
７４   スライド機構
８０   第１ロック機構
９０   第２ロック機構
【図１】
2017099329.tif 000003
【図２】
2017099329.tif 000004
【図３】
2017099329.tif 000005
【図４】
2017099329.tif 000006
【図５】
2017099329.tif 000007
【図６】
2017099329.tif 000008